【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
測定計器であって、
光出力を有する回転可能なＬＥＤポインタであって、その回転に従った該ポインタ出力がユーザには光の弧に見え、該弧が所望の表示単位の量を表すＬＥＤポインタ、
ロータリートランス、
前記ＬＥＤポインタに磁気的に結合されたブラシレスモータ、
該モータ及び前記ロータリートランスに結合されており、量の指示を受け取り、目盛り付きレンズ表面の周りをほぼ一定速度で回転する前記ＬＥＤポインタを照明するために前記ロータリートランスを駆動し且つ前記ＬＥＤポインタをアクチベート及びディアクチベートして前記光の弧の長さを調整しそれによって前記所望の表示単位の量をユーザに示すように応答可能にプログラムされた高速コントローラ、
ユーザが本計器の動作機能を、視認、リセット、及びプログラムできるようにするためのタッチスイッチ、並びに、
前記ＬＥＤポインタの輝度、及びＬＥＤシフトライト出力を応答可能に制御するために、周辺光レベルを検出するための回路
を備えることを特徴とする測定計器。
【請求項２】
前記高速コントローラは前記ブラシレスモータの速度及び角度位置の両方を示す信号を受け取り、前記ロータリートランスは一次巻線及び二次巻線を備え、
前記高速コントローラは前記ロータリートランスの前記一次巻線を駆動し、前記一次巻線は静止しており、前記高速コントローラはまた前記二次巻線を駆動し、前記二次巻線は前記一次巻線に磁気的に結合され、前記二次巻線は回転して前記ＬＥＤポインタに駆動電流を供給する
ことを特徴とする請求項１に記載の測定計器。
【請求項３】
前記タッチスイッチは計器レンズ背面に取り付けられ、前記タッチスイッチは前記高速コントローラによってポーリングされ、
前記タッチスイッチは可動部分及び露出した電極がなく、
前記高速コントローラは前記タッチスイッチのデバウンス機能を実行し、
前記タッチスイッチは、プログラムされたシフトライト値での光の弧としてプリセットされたシフトライト値を視認すること、ピークＲＰＭ値をリセットすること、及びユーザが前記シフトライト値をリセットできるようにすることを含む群から選ばれる機能を実現する
ことを特徴とする請求項１に記載の測定計器。
【請求項４】
周辺光レベルを検出するための前記回路は、可変電圧レギュレータ及び光検出素子によって制御され、
該回路の出力電圧は、特定の最小及び最大電圧出力値に設定される
ことを特徴とする請求項１に記載の測定計器。
【請求項５】
前記ロータリートランスは、前記高速コントローラにより高周波のゲート制御されたクロック信号を用いて駆動され、
前記ロータリートランスは静止一次巻線と回転型二次巻線とを有し、該トランスは前記回転型ＬＥＤポインタに電力を送出し、表示レンズを通してユーザが見ることができる光の点及び光の弧を発生する
ことを特徴とする請求項１に記載の測定計器。
【請求項６】
前記所望の表示単位が、エンジンＲＰＭであることを特徴とする請求項１に記載の測定計器。
【請求項７】
前記所望の表示単位が、空燃比であることを特徴とする請求項１に記載の測定計器。
【請求項８】
前記光の弧の表示用にバックライトをもたらすための、ＬＥＤバックライト部分をさらに備えることを特徴とする請求項１に記載の測定計器。
【請求項９】
前記コントローラに過電圧保護をもたらすための、電源及び入力保護回路をさらに備えることを特徴とする請求項１に記載の測定計器。
【請求項１０】
ユーザにシフトライトを提供するための、シフトライトドライバ及びＬＥＤ回路をさらに備えることを特徴とする請求項１に記載の測定計器。
【請求項１１】
ユーザがエンジン内のシリンダ数を選択できるようにする、シリンダ選択ＢＣＤスイッチをさらに備えることを特徴とする請求項１に記載の測定計器。
【請求項１２】
前記高速コントローラが、前記レンズ上に表示する前記量の指示のピーク値を表す示度を表示するようにプログラムされることを特徴とする請求項１に記載の測定計器。
【請求項１３】
ユーザに測定情報を提供する方法であって、
表示すべき量を示す情報を受け取るステップ、
ＬＥＤポインタをアクチベートしかつディアクチベートして該ポインタの回転に従い光の弧が発生したときのアクチベーション時間を決定するステップであって、前記弧の長さが受け取った前記情報中に示される量に基づいているステップ、
前記ＬＥＤポインタを、ガラスレンズの周りをほぼ一定速度で回転させるステップ、並びに、
前記光の弧をユーザに表示するために前記アクチベーション時間に応じて前記ＬＥＤポインタをアクチベートするステップ
を含むことを特徴とする方法。
【請求項１４】
受け取った前記情報の最大値を決定するステップと、該最大値をユーザに表示するステップとをさらに含むことを特徴とする請求項１３に記載の方法。
【請求項１５】
受け取った前記情報の最小値を決定するステップと、該最小値をユーザに表示するステップとをさらに含むことを特徴とする請求項１３に記載の方法。
【請求項１６】
前記受け取るステップが、エンジンＲＰＭデータを受け取ることを含むことを特徴とする請求項１３に記載の方法。
【請求項１７】
前記受け取るステップが、空燃比メータのデータを受け取ることを含むことを特徴とする請求項１３に記載の方法。
【請求項１８】
前記ガラスレンズにバックライトをもたらすための、ＬＥＤバックライト部分を設けるステップをさらに含むことを特徴とする請求項１３に記載の方法。
【請求項１９】
ユーザにシフトライトを提供するステップをさらに含むことを特徴とする請求項１３に記載の方法。
【請求項２０】
ユーザが、エンジン内のシリンダ数を選択できるようにするステップをさらに含むことを特徴とする請求項１３に記載の方法。
【請求項２１】
受け取った前記情報の最小及び最大ピーク値の両方を決定し、表示するステップをさらに含むことを特徴とする請求項１３に記載の方法。
【請求項２２】
ＲＰＭ値を表す光の弧を表示することにより、ユーザがシフトライト値をプログラムできるようにするステップをさらに含むことを特徴とする請求項１３に記載の方法。
【請求項２３】
測定計器であって、
光出力を有する回転型のライトパイプであって、該ライトパイプの出力はレンズの周りのミラーから反射されてユーザには光の弧に見え、該弧が所望の表示単位の量を表すライトパイプ、
該ライトパイプに光を供給する静止ＬＥＤ、
該ライトパイプに結合されたブラシレスモータ、並びに、
該モータに結合された高速コントローラであって、量の指示を受け取り、前記レンズ表面の周りをほぼ一定速度で回転する前記ライトパイプを照明するために前記静止ＬＥＤを照明するように且つ前記静止ＬＥＤをアクチベート及びディアクチベートして前記光の弧の長さを調整しそれによって前記所望の表示単位の量をユーザに示すように応答可能にプログラムされた高速コントローラ
を備えることを特徴とする測定計器。
【請求項２４】
前記所望の表示単位が、エンジンＲＰＭであることを特徴とする請求項２３に記載の測定計器。
【請求項２５】
前記所望の表示単位が、空燃比であることを特徴とする請求項２３に記載の測定計器。
【請求項２６】
前記光の弧に表示用にバックライトをもたらすための、ＬＥＤバックライト部分をさらに備えることを特徴とする請求項２３に記載の測定計器。
【請求項２７】
前記高速コントローラへの過電圧保護をもたらすための、電源及び入力保護回路をさらに備えることを特徴とする請求項２３に記載の測定計器。
【請求項２８】
ユーザにシフトライトを提供するための、シフトライトドライバ及びＬＥＤ回路をさらに備えることを特徴とする請求項２３に記載の測定計器。
【請求項２９】
ユーザがエンジン内のシリンダ数を選択できるようにする、シリンダ選択ＢＣＤスイッチをさらに備えることを特徴とする請求項２３に記載の測定計器。
【請求項３０】
前記高速コントローラが、前記レンズ上に表示する前記量の指示のピーク値を表す示度を表示するようにプログラムされることを特徴とする請求項２３に記載の測定計器。
【請求項３１】
ＲＰＭ値を表す光の弧を表示することにより、ユーザがシフトライト値をプログラムできるようにする手段をさらに備えることを特徴とする請求項２３に記載の測定計器。
【請求項３２】
情報を計器に表示するためのシステムにおいて、
車輌の機能している所定の特性の分量を測定するように動作可能な少なくとも一つの測定デバイス；
方向性の光を発生するための光ポインタ；
該光ポインタを所定の回転経路において駆動するためのロータリードライブ；並びに、
該ロータリードライブ及び前記測定デバイスに結合され、該測定デバイスから受け取った入力に基づいて前記光ポインタが前記回転経路において駆動されるときに該光ポインタを選択的にアクチベートして、測定された前記特性の分量に対応する光の弧を前記光ポインタが発生するように動作可能なコントローラ
を備えたことを特徴とするシステム。
【請求項３３】
前記光ポインタは単一の光源を有することを特徴とする請求項３２に記載のシステム。
【請求項３４】
前記単一の光源はＬＥＤを有することを特徴とする請求項３３に記載のシステム。
【請求項３５】
前記光ポインタは回転可能なライトパイプを有することを特徴とする請求項３２に記載のシステム。
【請求項３６】
前記ロータリードライブはロータリートランス及びブラシレスモータを有することを特徴とする請求項３２に記載のシステム。
【請求項３７】
前記光の弧は第１の弧及び第２の弧を含み、該第１及び第２の弧は共通のベースポイントと一緒に表示されることを特徴とする請求項３２に記載のシステム。
【請求項３８】
前記光の弧は、ソリッドの弧、点滅する弧、可変長の弧、及び、スイープする弧を含むグループから選択された弧を含むことを特徴とする請求項３２に記載のシステム。
【請求項３９】
前記光の弧は複数の光の弧を含み、該複数の光の弧の夫々が互いにオーバーラッブしないように位置して表示されることを特徴とする請求項３２に記載のシステム。
【請求項４０】
さらに、前記コントローラに結合したタッチセンススイッチを備えたことを特徴とする請求項３２に記載のシステム。
【請求項４１】
前記タッチセンススイッチは作動時に表示特性を変更するように適合され、該表示特性は、シリンダのカウント、センサの較正値、ローアラーム値、ハイアラーム値、ピーク表示リセット値、走行距離、デフォルト設定値、及び、デモンストレーションモードスピードを含むグループから選択されることを特徴とする請求項４０に記載のシステム。
【請求項４２】
車輌の前記所定の特性は、エンジン速度、エンジン排気ガス温度、及び、エンジン圧力を含むグループから選択されることを特徴とする請求項３２に記載のシステム。
【請求項４３】
さらに、前記コントローラに通信可能に結合される通信バスであって複数の外部電子機器と結合されるように適合される通信バスを備えることを特徴とする請求項３２に記載のシステム。
【請求項４４】
さらに、前記コントローラは前記通信バスを通じてパーソナルコンピュータからコマンドを受け取るように適合されることを特徴とする請求項４３に記載のシステム。
【請求項４５】
前記測定デバイスの少なくとも一つはアナログ測定デバイスであることを特徴とする請求項３２に記載のシステム。
【請求項４６】
前記アナログ測定デバイスは量を検知し、該量は、電圧、圧力、抵抗、電流、温度、速度、距離、及び、真空度を含むグループから選択されることを特徴とする請求項４５に記載のシステム。
【請求項４７】
前記測定デバイスの少なくとも一つは熱電対増幅器を有することを特徴とする請求項３２に記載のシステム。
【請求項４８】
さらに、本システムの少なくとも一つの要素の強度を選択的に調整するように適合された電圧レギュレータ回路を備え、該少なくとも一つの要素は、前記光ポインタ、アラームアイコン、及び、バックライトの輝度を含むグループから選択されることを特徴とする請求項３２に記載のシステム。
【請求項４９】
前記電圧レギュレータ回路は、パルス幅変調（ＰＷＭ）プログラマブルリニア調整可能な電圧レギュレータを有することを特徴とする請求項４８に記載のシステム。
【請求項５０】
車輌の表示のパラメータをプログラムするためのシステムにおいて、
車輌の機能している特性のレベルを、所定のフォーマットに従って表示される光の長さとして表示するための光源を有するディスプレイ；及び
該所定のフォーマットに適合するようにプログラムされたユーザインタフェースデバイス
を備えたことを特徴とするシステム。
【請求項５１】
前記所定のフォーマットは、弧の開始点、弧の終了点、ローアラーム値、ハイアラーム値、タイムスロット選択、計器のタイプ、センサ最小値、センサ最大値、エンジニアリングユニット、変換値、デカール（decal）最小値、デカール最大値、最小強度値、最大強度値、スルーレート、センサチャンネル、メーターの弧の大きさ、弧の向き、ソフトウエアの改訂、及び、シリンダのカウントを含むグループから選択される弧の特性を決定することを特徴とする請求項５０に記載のシステム。
【請求項５２】
前記ユーザインタフェースデバイスはパーソナルコンピュータであることを特徴とする請求項５０に記載のシステム。
【請求項５３】
前記ユーザインタフェースデバイスは、オプション設定メニューをユーザに提供するように適合されることを特徴とする請求項５０に記載のシステム。
【請求項５４】
さらに、通信バスに結合されるエンジンコントローラを備えることを特徴とする請求項５０に記載のシステム。
【請求項５５】
さらに、前記通信バスを通じて前記エンジンコントローラと情報を交換するように計器がプログラムされていることを特徴とする請求項５４に記載のシステム。
【請求項５６】
さらに、少なくとも一つのアナログデバイスが計器と結合されていることを特徴とする請求項５５に記載のシステム。
【請求項５７】
前記少なくとも一つのアナログデバイスは、電圧、圧力、抵抗、電流、温度、速度、距離、及び、真空度を含むグループから選択される量を示す情報を出力することを特徴とする請求項５６に記載のシステム。
【請求項５８】
前記ユーザインタフェースデバイスは、計器中にパラメータをプログラムすることによって該計器のハードウエアパラメータを設定することを特徴とする請求項５０に記載のシステム。
【請求項５９】
測定情報をユーザに提供する方法において、
表示する量を示す情報を受け取るステップ；
光ポインタを該情報に基づいてアクチベートするステップ；及び
該光ポインタを充分なスピードで回転させてアーチ状の所定の長さの光の弧を発生して前記表示する量のレベルを指示するステップ
を含むことを特徴とする方法。
【請求項６０】
前記光ポインタは３６０゜の経路で連続的に回転して前記光の弧を発生し、及び、前記光ポインタは該３６０゜の経路における移動部分の間、アクチベートされることを特徴とする請求項５９に記載の方法。
【請求項６１】
さらに、受け取った前記情報の最大値を判定するステップ、及び、該最大値を回転する前記光ポインタでユーザに表示するステップを含むことを特徴とする請求項５９に記載の方法。
【請求項６２】
さらに、受け取った前記情報の最小値を判定するステップ、及び、該最小値を回転する前記光ポインタでユーザに表示するステップを含むことを特徴とする請求項５９に記載の方法。
【請求項６３】
前記受け取るステップにおいて、エンジンのRPM（毎分回転数）データを受け取ることを特徴とする請求項５９に記載の方法。
【請求項６４】
前記受け取るステップにおいて、空燃費メータデータを受け取ることを特徴とする請求項５９に記載の方法。
【請求項６５】
さらに、受け取った前記情報の最大ピーク値及び最小ピーク値を判定し並びに回転する前記光ポインタで表示することを特徴とする請求項５９に記載の方法。
【請求項６６】
前記表示する量を示す情報は、電圧、圧力、抵抗、電流、温度、速度、距離、及び、真空度のうち少なくとも一つを有する情報を含むことを特徴とする請求項５９に記載の方法。
【請求項６７】
光源；
該光源のためのキャリア部材；及び
該キャリア部材のためのロータリードライブであって、光の弧を発生するために該キャリア部材及び該キャリア部材上の前記光源をアーチ状の所定の経路において移動させるように動作可能なロータリードライブ
を備えたことを特徴とするシステム。
【請求項６８】
さらに、車輌の機能している特性を前記光の弧として表示するようにプログラムされたコントローラを備えることを特徴とする請求項６７に記載のシステム。
【請求項６９】
前記コントローラは、前記光源を選択的にアクチベートし及びディアクチベートして前記光の弧を造るようにプログラムされることを特徴とする請求項６８に記載のシステム。
【請求項７０】
前記コントローラは、単一の光の弧を出力するように前記光源をアクチベートし及びディアクチベートするようにプログラムされることを特徴とする請求項６８に記載のシステム。
【請求項７１】
前記コントローラは、複数の光の弧を出力するように前記光源をアクチベートし及びディアクチベートするようにプログラムされることを特徴とする請求項６８に記載のシステム。
【請求項７２】
さらに、前記コントローラに結合したタッチセンススイッチを備えたことを特徴とする請求項６８に記載のシステム。
【請求項７３】
前記タッチセンススイッチは作動時に表示特性を変更するように適合され、該表示特性は、シリンダのカウント、センサの較正値、ローアラーム値、ハイアラーム値、ピーク表示リセット値、走行距離、デフォルト設定値、及び、デモンストレーションモードスピードを含むグループから選択されることを特徴とする請求項７２に記載のシステム。
【請求項７４】
さらに、前記コントローラに通信可能に結合される通信バスであって複数の外部電子機器と結合されるように適合される通信バスを備えることを特徴とする請求項６８に記載のシステム。
【請求項７５】
さらに、前記コントローラは前記通信バスを通じてパーソナルコンピュータからコマンドを受け取るように適合されることを特徴とする請求項７４に記載のシステム。
【請求項７６】
さらに、前記コントローラに結合した少なくとも一つの測定デバイスを備えたことを特徴とする請求項６８に記載のシステム。
【請求項７７】
前記測定デバイスは量を検知し、該量は、電圧、圧力、抵抗、電流、温度、速度、距離、及び、真空度を含むグループから選択されることを特徴とする請求項７６に記載のシステム。
【請求項７８】
前記光源は単一の光源を有することを特徴とする請求項６７に記載のシステム。
【請求項７９】
前記単一の光源はＬＥＤを有することを特徴とする請求項７８に記載のシステム。
【請求項８０】
前記ロータリードライブはロータリートランス及びブラシレスモータを有することを特徴とする請求項６７に記載のシステム。
【請求項８１】
前記光の弧は第１の弧及び第２の弧を含み、該第１及び第２の弧は共通のベースポイントと一緒に表示されることを特徴とする請求項６７に記載のシステム。
【請求項８２】
前記光の弧は、ソリッドの弧、点滅する弧、可変長の弧、及び、スイープする弧を含むグループから選択された弧を含むことを特徴とする請求項６７に記載のシステム。
【請求項８３】
前記光の弧は複数の光の弧を含み、該複数の光の弧の夫々が互いにオーバーラッブしないように位置して表示されることを特徴とする請求項６７に記載のシステム。
【請求項８４】
前記光の弧は車輌の少なくとも一つの機能している特性と関連する長さを持つことを特徴とする請求項６７に記載のシステム。
【請求項８５】
前記特性は、エンジン速度、エンジン排気ガス温度、及び、エンジン圧力を含むグループから選択されることを特徴とする請求項８４に記載のシステム。